(57)【要約】【課題】簡素な構成で、電線が屈曲した場合における防水性の低下を防止する。【解決手段】係止部１１と電線１７が挿入される挿入孔１９とを備えたハウジング５と、電線が挿入され、ハウジングの挿入孔に挿入されるシール材７と、電線が貫通する貫通孔３１とハウジングの係止部に係合する被係止部１３とを備え、ハウジングの挿入孔に挿入されているシール材が、ハウジングから外れることを防止するために、被係止部をハウジングの係止部に係止させて、ハウジングに一体的に設けられているリヤホルダ３と、ハウジングを内部に納める収納部３７と、ハウジングの係止部に係合する被係止部１５とを備え、ハウジングとリヤホルダとを収納部内に収納し、被係止部をリヤホルダやハウジングの係止部に係止させて、ハウジングに一体的に設けられているシェル９とを有するコネクタ１である。【選択図】図１
2011054393.tif 000002
【特許請求の範囲】
【請求項１】
係止部と電線が挿入される挿入孔とを備えたハウジングと、
環状に形成され、前記電線が挿入され、前記ハウジングの挿入孔に挿入されるシール材と、
前記電線が貫通する貫通孔と前記ハウジングの係止部に係合する被係止部とを備え、前記ハウジングの挿入孔に挿入されているシール材が、前記ハウジングから外れることを防止し前記貫通孔と前記ハウジングの挿入孔とを貫通する前記電線を支持するために、前記被係止部を前記ハウジングの係止部に係止させて、前記ハウジングに一体的に設けられているリヤホルダと、
前記ハウジングと前記リヤホルダとを内部に納める収納部と、前記ハウジングの係止部に係合する被係止部とを備え、前記ハウジングと前記リヤホルダとを前記収納部内に収納し、前記被係止部を前記リヤホルダの被係止部が係止されている前記ハウジングの係止部に係止させて、前記ハウジングに一体的に設けられているシェルと、
を有することを特徴とするコネクタ。
【請求項２】
請求項１に記載のコネクタにおいて、
前記シェルが、前記リヤホルダの前記ハウジングからの離脱を規制している構成であることを特徴とするコネクタ。
【請求項３】
請求項１または請求項２に記載のコネクタにおいて、
前記電線が延出している側で、前記リヤホルダが、前記ハウジングや前記シェルよりも突出して前記電線の周囲を覆っていることを特徴とするコネクタ。
【請求項４】
請求項１〜請求項３のいずれか１項に記載のコネクタにおいて、
前記ハウジングには、複数本の電線を挿入するための複数の前記挿入孔が並んで設けられており、前記リヤホルダには、複数本の電線を挿入するための複数の前記貫通孔が並んで設けられており、
前記係止部は、複数設けられていると共に、前記ハウジングの外周で、前記各挿入孔の間に配置されていることを特徴とするコネクタ。
【発明の詳細な説明】
【技術分野】
【０００１】
本発明は、コネクタに係り、電線が挿入されるハウジングとシール材とリヤホルダとこれらを覆っているシェルとを備えたものに関する。
【背景技術】
【０００２】
図８は、従来のコネクタ２００の斜視図であり、図９、図１０は、従来のコネクタ２００の断面斜視図であり、図１１は、シェル２０２を取り除いた従来のコネクタ２００の斜視図である。
【０００３】
従来のコネクタ２００は、たとえば、ＨＥＶ（Ｈｙｂｒｉｄ  Ｅｌｅｃｔｒｉｃ  Ｖｅｈｉｃｌｅ；ハイブリッド電気自動車）のモータに直接取り付けられるモータ用コネクタであり、ハウジング２０４とアルミシェル２０２とパッキング（パッキン）２０６とゴム栓２０８とを備えている。
【０００４】
ＨＥＶのモータは車両のエンジンルーム内に配置されており確実に防水する必要があるので、パッキン２０６が、コネクタ２００前面のモータの筐体に接する部分（ハウジング２０４の前面部分）に設けられている。また、ハウジング２０４後方の電線２１０（端子２１２）挿入部分には、電線２１０が貫通しているゴム栓２０８が挿入され設けられている。これにより、ハウジング２０４内が防水されている。
【０００５】
また、コネクタ２００には、アルミシェル２０２が設けられている。アルミシェル２０２は、大電流が流れる電気接続部分等で発生するノイズを除去するために、アルミニウムもしくはこの合金で構成されており、ハウジング２０４を覆うようにして設けられている。また、アルミシェル２０２は、ハウジング２０４に設置されたゴム栓２０８が後方に抜け落ちてしまうことを防止している。
【０００６】
すなわち、アルミシェル２０２の後端部には、コネクタ２００の後方を防水しているゴム栓２０８の外径よりも小さい内径の穴２１４が設けられており、図１１に示すハウジング２０４とゴム栓２０８等の組立体の後方からアルミシェル２０２を設置してあり、穴２１４によって、端子２１２や電線２１０にカシメ等で取り付けられていないゴム栓２０８が、ハウジング２０４の後方に離脱してしまうことを防止している。なお、電線２１０はアルミシェル２０２の穴２１４を貫通している。
【０００７】
ここで、従来の技術に関連する特許文献として、たとえば、特許文献１、特許文献２を掲げることができる。
【先行技術文献】
【特許文献】
【０００８】
【特許文献１】特開２００２−３１３４９６号公報
【特許文献２】特開２００５−１２９３５５号公報
【発明の概要】
【発明が解決しようとする課題】
【０００９】
ところで、従来のコネクタ２００では、アルミシェル２０２によってゴム栓（シール材）２０８を保持しているが、電線２１０が屈曲すると、この屈曲によって電線２１０からゴム栓２０８に力が加わり、ハウジング２０４やアルミシェル２０２の後方でむき出しになっているゴム栓２０８の部位だけでなく、ハウジング２０４の内部に位置しているゴム栓２０８の部位にも偏り（変形）が発生し、ゴム栓２０８によるハウジング２０４内の防水性が低下する。電線２１０の力がゴム栓２０８に伝わることを防いでゴム栓２０８の偏りによる防水性の低下を防止するために、電線２１０をリヤホルダ（図８〜図１１では図示せず）で保持する対策を考えることができる。
【００１０】
しかし、ゴム栓２０８に加えてリヤホルダを設けるとなると、リヤホルダをハウジング２０４に係止するための係止手段等が別途必要になりコネクタの構成が煩雑になる
また、係止手段を設けるためのスペースを要することにより、コネクタが大型化し限られたスペースに設置できない事態が発生するおそれがある。
【００１１】
本発明は、上記問題点に鑑みてなされたものであり、簡素な構成で、電線が屈曲した場合における防水性（シール性）の低下を防止することができるコネクタを提供することを目的とする。
【課題を解決するための手段】
【００１２】
請求項１に記載の発明は、係止部と電線が挿入される挿入孔とを備えたハウジングと、環状に形成され、前記電線が挿入され、前記ハウジングの挿入孔に挿入されるシール材と、前記電線が貫通する貫通孔と前記ハウジングの係止部に係合する被係止部とを備え、前記ハウジングの挿入孔に挿入されているシール材が、前記ハウジングから外れることを防止し前記貫通孔と前記ハウジングの挿入孔とを貫通する前記電線を支持するために、前記被係止部を前記ハウジングの係止部に係止させて、前記ハウジングに一体的に設けられているリヤホルダと、前記ハウジングと前記リヤホルダとを内部に納める収納部と、前記ハウジングの係止部に係合する被係止部とを備え、前記ハウジングと前記リヤホルダとを前記収納部内に収納し、前記被係止部を前記リヤホルダの被係止部が係止されている前記ハウジングの係止部に係止させて、前記ハウジングに一体的に設けられているシェルとを有するコネクタである。
【００１３】
請求項２に記載の発明は、請求項１に記載のコネクタにおいて、前記シェルが、前記リヤホルダの前記ハウジングからの離脱を規制している構成であるコネクタである。
【００１４】
請求項３に記載の発明は、請求項１または請求項２に記載のコネクタにおいて、前記電線が延出している側で、前記リヤホルダが、前記ハウジングや前記シェルよりも突出して前記電線の周囲を覆っているコネクタである。
【００１５】
請求項４に記載の発明は、請求項１〜請求項３のいずれか１項に記載のコネクタにおいて、前記ハウジングには、複数本の電線を挿入するための複数の前記挿入孔が並んで設けられており、前記リヤホルダには、複数本の電線を挿入するための複数の前記貫通孔が並んで設けられており、前記係止部は、複数設けられていると共に、前記ハウジングの外周で、前記各挿入孔の間に配置されているコネクタである。
【発明の効果】
【００１６】
本発明によれば、簡素な構成で、電線が屈曲した場合における防水性（シール性）の低下を防止することができるコネクタを提供することができるという効果を奏する。
【図面の簡単な説明】
【００１７】
【図１】本発明の実施形態に係るコネクタの概略構成を示す斜視図である。
【図２】コネクタの断面斜視図である。
【図３】コネクタの断面斜視図である。
【図４】リヤホルダの概略構成を示す斜視図である。
【図５】コネクタの組立手順の概要を説明する図である。
【図６】コネクタの組立手順の概要を説明する図である。
【図７】コネクタの組立手順の概要を説明する図である。
【図８】従来のコネクタの斜視図である。
【図９】従来のコネクタの断面斜視図である。
【図１０】従来のコネクタの断面斜視図である。
【図１１】シェルを取り除いた従来のコネクタの斜視図である。
【発明を実施するための形態】
【００１８】
図１は、本発明の実施形態に係るコネクタ１の概略構成を示す斜視図であり、図２、図３は、コネクタ１の断面斜視図であり、図４は、リヤホルダ３の概略構成を示す斜視図である。
【００１９】
コネクタ１は、従来のコネクタ２００と同様に、たとえば、ＨＥＶのモータに直接取り付けられるモータ用コネクタであり、ハウジング５とシール材７とリヤホルダ３とシェル９とを備えて構成されている。
【００２０】
たとえば絶縁性を備えた樹脂で構成されているハウジング５には、詳しくは後述するリヤホルダ３の被係止部１３とシェル９の被係止部１５とに係合する係止部１１と、電線（モータに電力を供給するための電線）１７が挿入される挿入孔（貫通孔）１９とが設けられている。
【００２１】
ここで、説明に便宜のために、ハウジング５に挿入される電線１７の長手方向（挿入孔１９の貫通方向）をコネクタ１（ハウジング５、シール材７、リヤホルダ３、シェル９）の前後方向とし、特に、コネクタ１のモータ側を前側とし、コネクタ１のモータとは反対側（電線１７が延出している側）を後側とする。また、コネクタ１に設けられているの貫通孔（３つの複数の円柱状の貫通孔）１９が並んでいる方向をコネクタ１等の横方向とし、前後方向および横方向に直交する方向をコネクタ１等の縦方向とする。
【００２２】
電線１７は、たとえば、この長手方向に対して直交する平面による断面が円形状になっており、銅等の金属で構成された導線のまわりを樹脂等の絶縁体で被覆してあり、電線１７の長手方向の一方の端部である前側端部には、端子（モータに直接接続される端子）２１が一体的に設けられている。また、電線１７は、端子２１を前側にしてハウジング５の後側から挿入孔１９に挿入されている。
【００２３】
挿入孔１９は、前側に位置している円柱状の小径部２３と後側に位置している円柱状の大径部２５とを備えて構成されている。小径部２３の中心軸と大径部２５の中心軸とはお互いに一致しており、小径部２３の内径は、電線１７の外径と等しいか僅かに大きくなっている。また、小径部２３と大径部２５との境界には、リング状の平面（前後方向に対して直交する平面）で構成されている段差２７が形成されている。
【００２４】
係止部１１は、リヤホルダ３とシェル９とをハウジング５に一体的に設置するためのものであり、ハウジング５の後側（段差２７よりも後方）に設けられている。ハウジング５に挿入された電線１７は、この端子２１がハウジング５の前側でハウジング５から突出しており、電線１７はハウジング５の後側でハウジング５から延出している。ハウジング５の前側の面には、挿入孔１９や突出している端子２１を囲むようにして、リング状のシール材（ゴム等の弾性体で構成されているシール材；たとえばＯリング）１９が設けられている。
【００２５】
シール材（たとえば、ゴム栓）７は、環状に形成されている。すなわち、たとえば、大円柱から小円柱の部分を除去した形態の形成されている。なお、大円柱と小円柱とは、お互いの高さが等しくお互いの直径が異なっていると共に、中心軸がお互いに一致し、高さ方向における位置がお互いに一致している。
【００２６】
そして、たとえば、シール材７の外周の全周がハウジング５の挿入孔１９の大径部２５の内壁に接触するようにして、シール材７がハウジング５の挿入孔１９に挿入され、シール材７がハウジング５に設置されている。ハウジング５に設置されているシール材７の内周の全周は、ハウジング５の挿入孔１９に挿入される電線１７の外周に接触している。
【００２７】
これにより、シール材７の径方向では、ハウジング５に対してシール材７や電線１７（シール材７の内側に位置している電線）が移動できないようになっている。すなわち、シール材７の径方向では、シール材７や電線１７がハウジング５に固定されている。なお、ハウジング５に設置されているシール材７の中心軸の延伸方向における一端部が段差（小径部２３と大径部２５との間の段差）２７に接触している。
【００２８】
たとえば絶縁性を備えた樹脂で構成されているリヤホルダ３は、電線１７が貫通する貫通孔（内径が、電線１７の外径と等しいか僅かに大きくなっている円柱状の貫通孔）３１と、ハウジング５の係止部１１に係合する被係止部１３とを備えて構成されている。
【００２９】
そして、リヤホルダ３は、ハウジング５の挿入孔１９に挿入されているシール材７がハウジング５から外れることを防止し貫通孔３１とハウジング５の挿入孔１９とを貫通する電線１７を支持するために、被係止部１３をハウジング５の係止部１１に係止させて、ハウジング５に一体的に設けられている。
【００３０】
ここで、ハウジング５にシール材７とリヤホルダ３とが設置されている状態（シール材・リヤホルダ設置状態）について説明する。
【００３１】
シール材・リヤホルダ設置状態では、リヤホルダ３の一端部側の部位（貫通孔が開いている方向における一端部側の部位（前側の部位）であって、外径がハウジング５の挿入孔１９の大径部２５の内径とほぼ等しい円環状の部位）３３が、ハウジング５の大径部２５に入り込んでいる。これにより、リヤホルダ３の径方向では、ハウジング５に対してリヤホルダ３が移動できないようになっている。すなわち、リヤホルダ３の径方向では、リヤホルダ３がハウジング５に固定されている。
【００３２】
また、シール材・リヤホルダ設置状態では、前述したようにシール材７の軸方向の一端部がハウジング５の大径部２５と小径部２３との境界に位置する段差２７に接触しており、リヤホルダ３の一端部側の端面が、シール材７の軸方向の他端部に当接しており、リヤホルダ３の他端部側に設けられているリヤホルダの被係止部１３が、ハウジング５の係止部１１に係合している。
【００３３】
これにより、シール材７とリヤホルダ３とが、ハウジング５の挿入孔１９の段差２７とハウジング５の係止部１１とで挟まれており、シール材７やリヤホルダ３の軸方向（ハウジング５の前後方向）では、ハウジング５に対してシール材７とリヤホルダ３とが移動できないようになっている。すなわち、シール材７やリヤホルダ３の軸方向では、シール材７とリヤホルダ３とがハウジング５に固定されている。
【００３４】
そして、ハウジング５に設置されたシール材７やリヤホルダ３がハウジング５から抜け落ちることなく、ハウジング５に一体的に設けられている。
【００３５】
ところで、電線１７やこの端子２１がコネクタ１に設置されている状態では、電線１７に一体的に設けられている端子２１が、ハウジング５の前側に設けられている端子保持部３５で挟まれる等して、端子２１や電線１７がハウジング５に一体的に設けられている。そして電線１７が、コネクタ１から抜け落ちないようになっている。
【００３６】
シェル９は、従来のコネクタ２００のアルミシェル２０２と同様にして、ノイズを除去するために、アルミニウムもしくはこの合金等の金属や導電性材料で構成されており、ハウジング５を覆うようにして設けられている。
【００３７】
また、シェル９は、ハウジング５とハウジング５に設置されているシール材７とハウジング５に設置されているリヤホルダ３とを内部に納める収納部３７と、ハウジング５の係止部１１に係合する被係止部１５とを備えて構成されている。
【００３８】
そして、ハウジング５とハウジング５に設置されているシール材７とリヤホルダ３とを、収納部３７内に収納し、被係止部１５をリヤホルダ３の被係止部１３が係止されているハウジング５の係止部１１に係止させて、シェル９がハウジング５とリヤホルダ３とに一体的に設けられている。
【００３９】
すなわち、リヤホルダ３の被係止部１３に係合しているハウジング５の係止部１１には、係代に余裕が残されており、リヤホルダ３の被係止部１３に係合しているハウジング５の係止部１１が、さらにシェル９の被係止部１５にも係合可能になっている。したがって、ハウジング５にシール材７とリヤホルダ３とシェル９とが設置されてコネクタ１が形成されている状態では、ハウジング５の１つの係止部１１が、リヤホルダ３の１つの被係止部１３とシェル９の１つの被係止部１５との両方に係合している。
【００４０】
ここで、上述したシール材・リヤホルダ設置状態におけるハウジング５とリヤホルダ３とに対するシェル９の係合状態についてさらに説明する。
【００４１】
シール材・リヤホルダ設置状態では、ハウジング５とリヤホルダ３とは、筒状部３９とこの筒状部３９の一端部側（前側）に設けられているフランジ部（ハウジング５に形成されているフランジ部）４１とを備えた形態になっている。
【００４２】
端子付電線１７は、筒状部３９とフランジ部４１とを貫通しており、端子２１がフランジ部４１から前側に突出しており、電線１７が筒状部３９（リヤホルダ３）から後側に延出している。シェル９は、筒状部４３とこの筒状部４３の一端部側（前側）に設けられているフランジ部４５とを備えて構成されている。
【００４３】
シェル９の収納部３７は、小径部４７と大径部４９とを備えた貫通孔（シェル９の前後方向に貫通している貫通孔）５１で構成されている。貫通孔５１の小径部４７の内径は、ハウジング５とリヤホルダ３との筒状部３９の外径とほぼ等しくなっている。貫通孔５１の大径部４９の内径は、ハウジング５とリヤホルダ３とのフランジ部４１の外径とほぼ等しいか、フランジ部４１の外径よりも大きくなっている。
【００４４】
また、貫通孔５１の大径部４９が、シェル９の前側（フランジ部４５側）に設けられており、貫通孔５１の大径部４９の深さの値は、シェル９のフランジ部４５の厚さの値よりも小さく、ハウジング５のフランジ部４１の厚さとほぼ等しくなっている。さらに、シェル９の大径部４９と小径部４７との境界には、リング状の平面（前後方向に対して直交する平面）で構成されている段差５３が形成されている。
【００４５】
そして、コネクタ１では、ハウジング５とリヤホルダ３との筒状部３９の外周がシェル９の小径部４７の内周に接触している。これにより、ハウジング５とリヤホルダ３との径方向における、ハウジング５とリヤホルダ３とに対するシェル９の移動が規制されている。
【００４６】
また、コネクタ１では、ハウジング５のフランジ部４１がシェル９の段差５３に接触しており、シェル９の他端部側に設けられているシェルの被係止部１５が、ハウジング５の係止部１１に係合している。これにより、シェル９が、ハウジング５のフランジ部４１と係止部１１とで挟まれており、シェル９の軸方向（ハウジング５やシェル９の前後方向）における、ハウジング５とリヤホルダ３とに対するシェル９の移動が規制されている。これにより、シェル９が、ハウジング５に一体的に設置されている。
【００４７】
ところで、コネクタ１は、各フランジ部４１，４５の前面がモータの筐体の接触するようにして、モータに一体的に設置されるようになっている。コネクタ１のモータへの設置は、ハウジング５に設けられている貫通孔にボルトを貫通させてなされるようになっている。
【００４８】
端子２１付き電線１７が設置されたコネクタ１がモータに一体的に設置された状態では、従来のコネクタ２００と同様にして、シール材２９とシール材７とにより、ハウジング５内への水等の進入が防止されている。
【００４９】
コネクタ１では、シェル９が、リヤホルダ３のハウジング５からの離脱を規制するように構成されている。また、シェル９の被係止部１５が、リヤホルダ３の被係止部１３を外側から押さえていると共に、シェル９の被係止部１５が、リヤホルダ３の被係止部１３を覆っている。
【００５０】
また、コネクタ１では、電線１７が延出している側（ハウジング５やシェル９の後側）で、リヤホルダ３が、ハウジング５やシェル９よりも突出して電線１７の周囲を覆って電線１７に接触し支持している。
【００５１】
さらに、コネクタ１のハウジング５とリヤホルダ３とには、複数本の電線（たとえば３本の電線）１７を挿入するための複数の（たとえば、３つの）挿入孔１９や貫通孔３１が並んで設けられており、各挿入孔１９のそれぞれにシール材７が設置されている。ハウジング５の各挿入孔１９の中心軸はお互いが平行になっており、各挿入孔１９の貫通方向で各挿入孔１９の位置が一致している。また、各挿入孔１９同士は、所定の間隔を隔て一列に並んでいる。リヤホルダ３の貫通孔３１も同様にして設けられている。
【００５２】
また、ハウジング５の係止部１１、リヤホルダ３の被係止部１３、シェル９の被係止部１５が複数設けられていると共に、係止部１１がハウジング５の外周で、各挿入孔１９の間に配置されている。
【００５３】
さらに説明すると、リヤホルダ３は、横方向の一端部に形成されているヒンジ部５５を間にした第１の部位５７と第２の部位５９とで、「Ｖ」字状に形成されている。なお、ハウジング５に設置されるときには、リヤホルダ３は、第１の部位５７と第２の部位５９と密着して「Ｉ」字状になる。以下「Ｉ」字状になっているリヤホルダ３について詳しく説明する。
【００５４】
前後方向から見たときに、リヤホルダ３は、横方向に長く、両端部が半円状になっている長円状（「Ｉ」字状）に形成されている。リヤホルダ３の３つの貫通孔３１は、円形状（円柱状）に形成されており、リヤホルダ３の横方向に所定の間隔をあけて並んで設けられている。
【００５５】
リヤホルダ３の前後方向の前側には、ハウジング５の挿入孔１９に入り込んで嵌合している部位３３が設けられており、リヤホルダ３の前後方向の後側には、電線１７を支持している円筒状の電線支持部６１が形成されている。
【００５６】
リヤホルダ３の前後方向の中間部であって、各貫通孔３１の間には、ハウジング５の係止部１１に係合する被係止部１３が形成されている。被係止部１３は、たとえば、貫通孔６３によって形成されており、リヤホルダ３の縦方向の両端部に設けられている。
【００５７】
シェル９の筒状部４３も、リヤホルダ３と同様に長円状に形成されており、被係止部１５を形成する切り欠き６４が、シェル９の筒状部４３の後端であって縦方向の両端部に設けられている。
【００５８】
ハウジング５の筒状部３９も、リヤホルダ３と同様に長円状に形成されており、係止部１１が、縦方向の両端部で、ハウジング５の筒状部３９の後端から延出して設けられている。
【００５９】
さらに説明すると、ハウジング５の係止部１１は、ハウジング５の後方に延出しているロックアーム６５の先端に設けられたロックビーク６７を備えて構成されている。ロックビーク６７は、先端部に斜面６９を備えた直角三角柱状に形成されており、ハウジング５の縦方向で、ハウジング５の外側（中心から離れる側）にロックアーム６５から僅かに突出している。
【００６０】
ハウジング５にリヤホルダ３を設置する途中の状態では、ロックビーク６７がリヤホルダ３に当接して、ロックアーム６５がハウジング５の内側に弾性変形する。ハウジング５にリヤホルダ３を設置し終えたときには、ロックアーム６５が復元して、ロックビーク６７（ロックビーク６７の基端部側部位）がリヤホルダ３の貫通孔６３を通りぬけてリヤホルダ３の被係止部１３に当接し、ハウジング５の段差２７とロックビーク６７とでシール材７とリヤホルダ３とを挟んでいると共に、ロックビーク６７（ロックビーク６７の先端部側の部位）が、縦方向でリヤホルダ３の外側に突出して係代が形成されている。
【００６１】
リヤホルダ３が設置されているハウジング５にシェル９を設置する途中では、ロックビーク６７がシェル９の小径部４７の内壁に当接して、リヤホルダ３を設置する途中の状態と同様にして、ロックアーム６５がハウジング５の内側に弾性変形する。この弾性変形だけでは、依然として、ハウジング５の段差２７とロックビーク６７とでシール材７とリヤホルダ３とを挟んでいる。
【００６２】
リヤホルダ３が設置されているハウジング５にシェル９を設置し終えたときには、ロックアーム６５が復元して、ロックビーク６７（ロックビーク６７の先端部側の部位）がシェル９の被係止部１５に当接している（ロックビーク６７の基端部側の部位の係代がリヤホルダ３の被係止部１３にも当接している）と共に、ハウジング５やシェル９の縦方向で、リヤホルダ３の被係止部１３が、ロックアーム６５（ロックアーム６５の先端部側部位）とリヤホルダ３の被係止部１３よりも外側に位置しているシェル９の被係止部１３（筒状部４３）とで挟まれている。これにより、コネクタ１では、シェル９が、リヤホルダ３のハウジング５からの離脱の規制等をしており、シェル９の被係止部１５が、リヤホルダ３の被係止部１３を外側から押さえていると共に、シェル９の被係止部１５が、リヤホルダ３の被係止部１３を覆っている。
【００６３】
次に、コネクタ１の組立手順について説明する。
【００６４】
図５、図６、図７は、コネクタ１の組立手順の概要を説明する図である。
【００６５】
まず、ハウジング５に、端子２１が設けられシール材７を貫通している電線１７を、端子２１を先にしてハウジング５の後方から挿入孔１９に挿入し、端子２１を端子保持部３５で保持し、シール材７を挿入孔１９の大径部２５内に設置する（図５参照。）
続いて、リヤホルダ３をハウジング５の後方からハウジング５に設置しハウジング５の係止部１１をリヤホルダ３の被係止部１３に係合させる（図６参照）。
【００６６】
続いて、シェル９をハウジング５の後方からハウジング５に設置しハウジング５の係止部１１をシェル９の被係止部１５に係合させる（図６参照）。
【００６７】
コネクタ１によれば、シール材７がハウジング５から外れることを防止すると共に電線１７を保持するリヤホルダ３が、この被係止部１３をハウジング５の係止部１１に係止させてハウジング５に一体的に設けられており、シェル９が、この被係止部１５をハウジング５の係止部（リヤホルダ３の被係止部１３が係止されている係止部）１３に係止させてハウジング５に一体的に設けられている。これにより、簡素な構成で電線１３が屈曲した場合における防水性（シール性）の低下を防止することができる。
【００６８】
すなわち、リヤホルダ３で電線１３を保持しているので、電線１３の屈曲による力がリヤホルダ３で遮られてシール材７まで伝わることはほとんど無く、シール材７が変形することはほとんど無い。そして、電線１７の屈曲によりシール材７のシール性が低下することを防止することができる。また、リヤホルダ３の被係止部１３とシェル９の被係止部１５とを係止するハウジング５の係止部１１が共用されているので、コネクタ１の構成を簡素化することができ、コネクタ１が大型化することを防止することができる。
【００６９】
また、コネクタ１によれば、シェル９により、リヤホルダ３のハウジング５からの離脱が規制されているので、シェル９を取り外さないとリヤホルダ３をハウジング５から取り外すことができず、リヤホルダ３のハウジング５への設置強度が高くなっている。そして、リヤホルダ３に外力が加わった場合であっても、リヤホルダ３の脱落を確実に防止することができ、電線１７に加えられた力をリヤホルダ３で一層確実に遮断することができ、電線１７に加わった力がシール材７までおよぶことを一層確実に防止することができる。
【００７０】
また、コネクタ１によれば、シェル９の被係止部１５がリヤホルダ３の被係止部１３を覆っているので、内側に位置しているリヤホルダ３の被係止部１３が外側に位置しているシェル９の被係止部１５によって保護されており、リヤホルダ３の被係止部１３の剛性が大きくなくても（たとえば、リヤホルダ３の被係止部１３を小さくしても）、リヤホルダ３がハウジング５に堅固に保持される。
【００７１】
また、リヤホルダ３やこの被係止部１３がシェル９（シェル９の被係止部１５）で覆われているので、リヤホルダ３の被係止部１３が外力によって傷ついたり破損したりすることを防止することができる。
【００７２】
さらに、コネクタ１によれば、リヤホルダ３が、ハウジング５やシェル９よりも後方に突出して電線１７の周囲を覆っているので、電線１７が屈曲してハウジング５やシェル９に接触することによる電線１７の傷付を防止することができる。
【００７３】
また、コネクタ１によれば、複数本の電線１７が挿入されるように構成されているコネクタ１の各挿入孔１９や各貫通孔３１の間に係止部１１や被係止部１３，１５が設けられているので、係止部１１や被係止部１３，１５が電線１７と干渉しにくくなっており、電線１７や係止部１１や被係止部１３，１５に傷が付き難くなっている。また、各挿入孔１９や各貫通孔３１の間に係止部１１や被係止部１３，１５が設けられているので、デッドスペースの有効利用がなされており、コネクタ１の小型化がなされている。
【符号の説明】
【００７４】
１  コネクタ
３  リヤホルダ
５  ハウジング
７  シール材（ゴム栓）
９  シェル
１１  （ハウジングの）係止部
１３  （リヤホルダの）被係止部
１５  （シェルの）被係止部
１７  電線
１９  挿入孔
３１  貫通孔
３７  収納部
【図１】
2011054393.tif 000003
【図２】
2011054393.tif 000004
【図３】
2011054393.tif 000005
【図４】
2011054393.tif 000006
【図５】
2011054393.tif 000007
【図６】
2011054393.tif 000008
【図７】
2011054393.tif 000009
【図８】
2011054393.tif 000010
【図９】
2011054393.tif 000011
【図１０】
2011054393.tif 000012
【図１１】
2011054393.tif 000013